(57)【特許請求の範囲】
【請求項１】
内部に物を入れて持ち運ぶための鞄において、
前記鞄の外部に取り付けられる吊りベルトと、
前記吊りベルトに取り付けられ、任意の物を前記鞄の外部に取り付けるための吊り金具とを備え、
前記吊り金具は、平板状に形成されるとともに、前記吊りベルトが取り付けられるベルト取付孔および任意の物を取り付けるための着脱孔を有して構成され、
前記着脱孔に挿入されて前記吊り金具に係合可能な挿入部を有する装飾部材を備え、
前記装飾部材は、前記挿入部を前記着脱孔に挿入させることにより前記吊り金具に着脱可能に取り付けられることを特徴とする鞄。
【請求項２】
前記吊り金具は、略円盤状に形成されることを特徴とする請求項１に記載の鞄。
【請求項３】
前記鞄はランドセルであり、前記吊りベルトおよび前記吊り金具は前記ランドセルの肩ベルトに設けられることを特徴とする請求項１または２に記載の鞄。
【発明の詳細な説明】
【技術分野】
【０００１】
本発明は、内部に物を入れて持ち運ぶための鞄に関する。
【背景技術】
【０００２】
このような鞄の一例としてランドセルがある。ランドセルは、一方に開口した箱状のランドセル本体と、このランドセル本体の開口を覆う蓋部材と、蓋部材の先端部をランドセル本体に係止保持する錠前装置と、ランドセル本体を背負うための肩ベルトとを備えて構成されている。このようなランドセルでは、肩ベルトにリング状の吊り金具（Ｄカン）が設けられており、この吊り金具に防犯ブザーやキーホルダー等を取り付けることができるようになっている（例えば、特許文献１を参照）。
【先行技術文献】
【特許文献】
【０００３】
【特許文献１】特開２０１２‐２５４２５３号公報
【発明の概要】
【発明が解決しようとする課題】
【０００４】
ところで、従来の吊り金具は、リング状の形状であるため、鞄を使用しているときに何かが引っかかって外れたり、壊れたりする可能性があるという問題があった。
【０００５】
本発明はこのような課題に鑑みてなされたものであり、鞄を使用しているときに何かが引っかかって外れたり、壊れたりし難い吊り金具を備えた鞄を提供することを目的とする。
【課題を解決するための手段】
【０００６】
上記目的を達成するため、本発明は、内部に物を入れて持ち運ぶための鞄（例えば、実施形態におけるランドセル１）において、前記鞄の外部に取り付けられる吊りベルトと、前記吊りベルトに取り付けられ、任意の物を前記鞄の外部に取り付けるための吊り金具（例えば、実施形態における第３吊り金具４０）とを備え、前記吊り金具は、平板状に形成されるとともに、前記吊りベルトが取り付けられるベルト取付孔および任意の物を取り付けるための着脱孔を有して構成される。また、前記着脱孔に挿入されて前記吊り金具に係合可能な挿入部を有する装飾部材を備え、前記装飾部材は、前記挿入部を前記着脱孔に挿入させることにより前記吊り金具に着脱可能に取り付けられる。
【０００７】
なお、上記構成の鞄において、前記吊り金具は、略円盤状に形成されることが好ましい。
【０００８】
また、上記構成の鞄において、前記鞄はランドセルであり、前記吊りベルトおよび前記吊り金具は前記ランドセルの肩ベルトに設けられてもよい。
【発明の効果】
【０００９】
本発明に係る鞄によれば、吊り金具が、平板状に形成されるとともに、ベルト取付孔および着脱孔を有して構成される。このように吊り金具が平板形状であるため、従来のリング状の吊り金具よりも、鞄を使用しているときに何かが引っかかって外れたり、壊れたりし難くいという効果を得ることができる。また、吊り金具がこのような形状であるため、スマートですっきりしたデザインの鞄とすることができる。
【００１０】
また、挿入部を着脱孔に挿入させることにより吊り金具に着脱可能に取り付けられる装飾部材を備えて構成される。そのため、装飾部材の吊り金具に対する取り付け、取り外しが簡単であり、装飾部材の付け替えも容易に行うことができる。また、従来の吊り金具に装飾のためにキーホルダー等を取り付けると、このキーホルダー等が邪魔になりやすく、何処かへ引っかけて壊れやすいという問題があったが、本発明に係る吊り金具および装飾部材によれば、鞄を使用しているときに装飾部材が邪魔になり難く、他の装飾部材への付け替えも容易であるので装飾性も向上させることができる。また、従来の吊り金具には、装飾性を高めるために吊り金具自体にデザインを施すものがあり、デザインを変更したいときには吊り金具ごと取り替える必要があったが、本発明に係る吊り金具および装飾部材によれば、吊り金具を取り替える必要はなく、吊り金具に対して装飾部材を他の装飾部材に付け替えるだけで簡単にデザインを変更することができる。
【００１１】
また、吊り金具がランドセルの肩ベルトに設けられる構成とすれば、耐久性および安全性の高いランドセルとすることができる。
【図面の簡単な説明】
【００１２】
【図１】本発明に係る鞄の一例であるランドセルの底面図である。
【図２】上記ランドセルの側面図である。
【図３】上記ランドセルの蓋部材を開けた状態の正面図である。
【図４】上記ランドセルの正面図において、前段ポケットの一部を破断させて前段ポケットの内部を示した正面図である。
【図５】上記ランドセルの背面図である。
【図６】上記ランドセルに設けられた吊り金具を示す図であり、（ａ）は平面図、（ｂ）は側面図である。
【図７】上記吊り金具および吊り金具に取り付けられる装飾部材を示す図であり、（ａ）上記ランドセルの背面図における一部拡大図、（ｂ）は吊り金具および装飾部材の平面図並びに装飾部材の側面図である。
【図８】（ａ），（ｂ）は他の装飾部材および吊り金具の平面図および他の装飾部材の側面図である。
【発明を実施するための形態】
【００１３】
以下、図面を参照して本発明の実施形態について説明する。本実施形態では、本発明に係る鞄の一例としてランドセルについて説明する。ランドセル１は、図１〜図３に示すように、教科書等を収納するための上方に開口した箱状のランドセル本体２ａ（大マチ）と、ランドセル本体２ａの上端部に取り付けられた蓋部材３（かぶせ）と、背中に背負うときに腕を通し肩へかける左右の肩ベルト４と、ランドセル本体２ａの外側底面に取り付けられた錠前装置１０とを有して構成されている。なお、本実施形態では、図１〜３に示す各矢印の方向をそれぞれ、上下方向、前後方向、左右方向として説明する。
【００１４】
ランドセル本体２ａの前面部（蓋部材３を開いたときに露出する部分）には、上方に開口してランドセル本体２ａ（大マチ）よりも小容量の箱状の収納ポケット２ｂ（小マチ）が設けられている。収納ポケット２ｂの前面部には、ファスナー２５によって開閉式の前段ポケット２ｃが設けられている。前段ポケット２ｃの内部には、後述する情報表示部材５０を取り付けるためのリング状の取付金具２７が設けられている（図４を参照）。また、前段ポケット２ｃの内部には、家の鍵等を係止するためのリング状の係止金具２８も設けられている（図４を参照）。
【００１５】
前段ポケット２ｃの上方位置には、帯状の前締ベルト２０が収納ポケット２ｂの前面部並びにランドセル本体２ａおよび収納ポケット２ｂの左右側面部にわたって設けられている。ランドセル本体２ａの左側面部に位置する前締ベルト２０には、コップ等を吊り下げることが可能な第１吊り金具２１（ナスカン）が設けられている。
【００１６】
ランドセル本体２ａの底面部には、錠前装置１０を取り付けるために、上下貫通した取付孔２ｈが形成されている（図２を参照）。この取付孔２ｈは、錠前装置１０の後述する本体プレート１１の裏面から突出する機構収容壁部１１ｂの外形形状に対応する形状になっている。ランドセル本体２ａの後面部２ｄ（背負ったときに背中が接する部分（背当て））の上部には、半円状の持ち手部材２７が設けられている（図５を参照）。
【００１７】
蓋部材３は、一端部がランドセル本体２ａの上端後部に取り付けられ、ランドセル本体２ａおよび収納ポケット２ｂの上方開口を覆い、他端部がランドセル本体２ａの前面下部まで延びる平板状（可撓性を有する平板状）に形成されている。蓋部材３の他端部には、ランドセル本体２ａの底面部まで延びるＶ字形状の蓋延長部材５（ベロ）が取り付けられている。蓋延長部材５の先端部に係止金具６（サガリ）が取り付けられている。蓋部材３の他端部側内面には、当該内面を覆うようにメッシュ状のシート部材（図示せず）が取り付けられており、このシート部材と蓋部材３の内面との間に学校の時間割表等を入れてシート部材を通して時間割表等を視認できるようになっている。
【００１８】
左右の肩ベルト４はそれぞれ、図５に示すように、ランドセル本体２ａの後面部２ｄ（背当て）の上端部にリング状の上部金具（背かん）を介して取り付けられた上ベルト４ａと、ランドセル本体２ａの底面部にリング状の下部金具７（ダルマかん）を介して取り付けられた下ベルト４ｂとを有し、上ベルト４ａおよび下ベルト４ｂが連結金具８により連結されている。左右の肩ベルト４はそれぞれ、上ベルト４ａに形成された複数の調整穴に対して連結金具８の連結位置をスライド移動させることができ、これにより肩ベルト４の長さを調整することができるようになっている。左右の上ベルト４ａには、防犯ブザーやキーホルダー等を吊り下げることが可能な第２吊り金具２２（ナスカン）および第３吊り金具４０がそれぞれ設けられている。第３吊り金具４０の詳細な構成については後段において説明する。
【００１９】
錠前装置１０は、図１および図２に示すように、矩形平板状の本体プレート１１と、本体プレート１１の中央部に回動自在に設けられた操作部材１２とを有して構成されている。本体プレート１１の内部には、蓋延長部材５に取り付けられた係止金具６を係止保持する係止保持位置および係止解除する解除位置との間で回動可能に操作部材１２を支持する支持機構（図示せず）が設けられている。この支持機構は、係止金具６が操作部材１２と係合するようにセットされると、この係止金具６により本体プレート１１の表面から突出した作動シャフト（図示せず）が押され、操作部材１２を係止保持位置（図１に示す位置）に回動させるように構成されている。本体プレート１１の裏面（上面）には、支持機構の本体プレート１１の裏面から突出した部分の周囲を囲む機構収容壁部１１ｂが形成されている。
【００２０】
本体プレート１１の表面（下面）には、その表面略全域にわたる凹状のプレート収容凹部が形成されており、このプレート収容凹部に、アルミニウムによって形成された平板状の装飾プレート３０が挿入され、装飾プレート３０が本体プレート１１の表面に取り付けられるようになっている。装飾プレート３０の表面は、アルマイト処理加工によって所定の色や模様が施されている。装飾プレート３０は、他の色や模様などが施された他の装飾プレートに取り替え可能になっている。
【００２１】
錠前装置１０は、本体プレート１１の裏面から突出した機構収容壁部１１ｂがランドセル本体２ａに形成された取付孔２ｈに挿入されて、機構収容壁部１１ｂをランドセル本体２ａの底面部内に入り込ませた状態で当該底面部に取り付けられる（図２を参照）。そして、装飾プレート３０および樹脂材料によって形成された円盤形状のリンプ部材３５，３５が本体プレート１１の表面に取り付けられ、左右のリンプ部材３５の表面にそれぞれ上
記下部金具７，７が揺動可能に設けられた円柱形状の金具ベース部材９，９を配置し、金具ベース部材９、リンプ部材３５および本体プレート１１にそれぞれ形成された挿入孔に取付ピン１８を挿入することにより、錠前装置１０がランドセル本体２ａの底面部に取り付けられるようになっている。
【００２２】
前段ポケット２ｃの内部には、図４に示すように、ランドセル１の持ち主の氏名等の個人情報を表示する情報表示部材５０が着脱可能に設けられている。情報表示部材５０は、前段ポケット２ｃの内部に着脱可能に設けられるケース部材５１と、ケース部材５１の内部に収容される情報記載カード（図示せず）とを有して構成される。情報記載カードは、学校名、学年およびクラス名、並びにランドセル１の持ち主の氏名等の個人情報を表面に記載可能に構成されている。
【００２３】
ケース部材５１の表面には、矩形状の窓部５３が貫通形成され、その窓部５３を塞ぐように樹脂材料からなる透明シート５４が設けられている。ケース部材５１は、情報記載カードに記載された個人情報を窓部５３および透明シート５４を通して外方から視認可能に構成されている。ケース部材５１の上部には、皮革材料からなる帯状の取付ベルト５７が設けられている。ケース部材５１は、前段ポケット２ｃの内部に設けられたリング状の取付金具２７に取付ベルト５７を通し、取付ベルト５７を折り曲げて取付ベルト５７の先端部と基端部とをボタン５８によって結合させることにより、前段ポケット２ｃの内部に着脱可能に取り付けられるようになっている。
【００２４】
左側の上ベルト４ａには、図５に示すように、防犯ブザーやキーホルダー等を吊り下げることが可能な第３吊り金具４０が設けられている。図６に示すように、第３吊り金具４０は、略円盤状に形成されており（後述する吊りベルト４５が取り付けられる円周部分が直線状に形成されている）、その表面に表裏貫通した円形状の着脱孔４１を有して構成されている。着脱孔４１の上方には、横長矩形状のベルト取付孔４２が形成されている。第３吊り金具４０は、ベルト取付孔４２に帯状の吊りベルト４５を通し、その吊りベルト４５が固定ピン４６により上ベルト４ａに固定されて取り付けられている。このように取り付けられた第３吊り金具４０は、上ベルト４ａ（吊りベルト４５）に対して上下方向に揺動可能になっている。
【００２５】
このような第３吊り金具４０には、従来の吊り金具と同様に、防犯ブザーやキーホルダー等を着脱孔４１に取り付けることも可能であるが、図７に示すように、装飾部材６０を着脱可能に取り付けることもできるようになっている。装飾部材６０は、ハート形状に形成された平板状の装飾部６１と、装飾部６１の裏面から突出した円筒状の挿入部６２とを有して構成されている。装飾部材６０は、例えばシリコンゴム等の樹脂材料によって形成される。挿入部６２は、着脱孔４１に挿入されて係合可能な外径寸法に形成され、その先端部には外径寸法が基端側よりも若干大きい係止段部６２ａが形成されている。装飾部材６０は、挿入部６２を着脱孔４１に挿入させることにより、係止段部６２ａが第３吊り金具４０の裏面に係止され、第３吊り金具４０に着脱可能に取り付けられるようになっている。
【００２６】
装飾部材６０は、挿入部６２を着脱孔４１から引き抜くことにより、第３吊り金具４０から取り外すことも可能である。そして、第３吊り金具４０には、装飾部材６０に替えて、図８に示すような他の装飾部材６０′，６０″を付け替えることができるようになっている。装飾部材６０′，６０″は、上述の装飾部材６０と比較して装飾部６１の形状が異なる（装飾部材６０′の装飾部６１′は盾形状に形成され、装飾部材６０″の装飾部６１″は円形状に形成されている）が、上述の装飾部材６０の挿入部６２と同様の挿入部６２′，６２″を有して構成されている。
【００２７】
以上のように構成されたランドセル１によれば、第３吊り金具４０が、略円盤状に形成されるとともに、その表面に表裏貫通した着脱孔４１およびベルト取付孔４２を有して構成されている。このように第３吊り金具４０が略円盤形状であるため、従来のリング状の吊り金具よりも、鞄を使用しているときに何かが引っかかって外れたり、壊れたりし難くいという効果を得ることができる。従って、耐久性および安全性の高いランドセルとすることができる。また、第３吊り金具４０がこのような形状であるため、スマートですっきりしたデザインのランドセルとすることができる。
【００２８】
また、装飾部材６０が、挿入部６２を着脱孔４１に挿入させることにより、第３吊り金具４０に着脱可能に取り付けられるように構成されている。そのため、装飾部材６０の第３吊り金具４０に対する取り付け、取り外しが簡単であり、装飾部材６０の付け替えも容易に行うことができる。また、従来の吊り金具に装飾のためにキーホルダー等を取り付けると、このキーホルダー等が邪魔になりやすく、何処かへ引っかけて壊れやすいという問題があったが、第３吊り金具４０および装飾部材６０によれば、鞄を使用しているときに装飾部材６０が邪魔になり難く、他の装飾部材６０′，６０″への付け替えも容易であるので装飾性も向上させることができる。また、従来の吊り金具には、装飾性を高めるために吊り金具自体にデザインを施すものがあり、デザインを変更したいときには吊り金具ごと取り替える必要があったが、第３吊り金具４０および装飾部材６０によれば、第３吊り金具４０を取り替える必要はなく、第３吊り金具４０に対して装飾部材６０を他の装飾部材に付け替えるだけで簡単にデザインを変更することができる。
【００２９】
なお、上述の実施形態では、第３吊り金具４０は略円盤状に形成されているが、第３吊り金具４０は、平板形状であればよく、その外周形状は楕円形状や長方形状等の種々の形状に適宜変更してもよい。また、第３吊り金具４０の着脱孔４１が円形状に形成されているが、着脱孔４１は、例えば楕円形状や多角形状等の円形以外の形状であってもよい。また、上述の実施形態では、第３吊り金具４０が上ベルト４ａに設けられているが、第３吊り金具４０はランドセル１の他の部分に設けられてもよい。
【００３０】
また、上述の装飾部材６０，６０′，６０″における装飾部６１，６１′，６２′の形状は一例であって、装飾部の形状は種々の形状に適宜変更してもよい。また、装飾部６１に反射材等を使用することにより、安全性にも配慮可能である。また、装飾部材６０は、樹脂材料ではなく、金属材料を用いて形成されてもよい。また、上述の実施形態では、装飾部材６０は、挿入部６２の係止段部６２ａが第３吊り金具４０の裏面に係止されて取り付けられるようになっているが、装飾部材６０は、スナップボタンやネジを用いて挿入部６２を第３吊り金具４０に固定させて取り付けられるように構成してもよい。また、上述の実施形態では、本発明に係る鞄の一例としてランドセルについて説明したが、ランドセルは一例であって、本発明は、スクールバッグ、ビジネスバッグ、リュックサック等、ランドセル以外の鞄にも適用することができる。
【符号の説明】
【００３１】
１    ランドセル（鞄）
４０  第３吊り金具（吊り金具）
４１  着脱孔
４２  ベルト取付孔
４５  吊りベルト
６０  装飾部材
６１  装飾部
６２  挿入部
【要約】
【課題】鞄を使用しているときに何かが引っかかって外れたり、壊れたりし難い吊り金具を備えた鞄を提供する。
【解決手段】内部に物を入れて持ち運ぶための鞄において、鞄の外部に取り付けられる吊りベルト４５と、吊りベルト４５に取り付けられ、任意の物を鞄の外部に取り付けるための吊り金具４０とを備え、吊り金具４０は、平板状（略円盤状）に形成されるとともに、その表面に表裏貫通した着脱孔４１およびベルト取付孔４２を有して構成される。
【選択図】図７【図１】
0005916926.tif 000002
【図２】
0005916926.tif 000003
【図３】
0005916926.tif 000004
【図４】
0005916926.tif 000005
【図５】
0005916926.tif 000006
【図６】
0005916926.tif 000007
【図７】
0005916926.tif 000008
【図８】
0005916926.tif 000009